(57)【要約】【課題】指の接触面の傾きを変えることで、指移動量に対するポインタ移動量を変化させることができる座標入力装置および座標入力方法を提供する。【解決手段】指の接触領域を検出する座標入力部と、前記接触領域に基づいて指が傾いているか否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部とを備えた構成をとる。【選択図】図１
2011186880.tif 000002
【特許請求の範囲】
【請求項１】
指の接触領域を検出する座標入力部と、前記接触領域に基づいて指が傾いているか否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部と、を具備する座標入力装置。
【請求項２】
前記判定部では、指の押圧力が閾値を超えているか否かを判定する、請求項１に記載の座標入力装置。
【請求項３】
前記判定部では、指が停止状態であるか否かを判定する、請求項１または請求項２に記載の座標入力装置。
【請求項４】
指の接触領域を検出する座標入力ステップと、前記接触領域に基づいて指が傾いているか否かを判定する判定ステップと、前記接触領域に基づいて位置座標を決定する位置決定ステップと、前記判定ステップの判定結果に基づいて速度係数を算出する速度制御ステップと、前記位置座標と前記速度係数に基づいてポインタの座標を演算する演算ステップと、からなる座標入力方法。
【発明の詳細な説明】
【技術分野】
【０００１】
本発明は、ポインティング操作に関する座標入力装置および座標入力方法であって、指の接触面の傾きを変えることで、ポインタの移動量の調整を行うことができる座標入力装置および座標入力方法に関するものである。
【背景技術】
【０００２】
近年、タッチパッドを搭載した電子機器が多く利用されている。しかし、ポインティングデバイスの操作において、指の移動量に対して画面に表示されるポインタの移動量が大きいと、ユーザが微小にポインタを移動させることが困難である。一方、指の移動量に対して画面に表示されるポインタの移動量が小さいと、ユーザが大きくポインタを移動するときの操作量が増加してしまうという問題があった。
【０００３】
このような指の移動量に対するポインタの移動量を変化させる方法として、特許文献１には、押圧力を変えることにより、同じ指の速度でもスクロール速度を変更することのできるスクロール制御装置が開示されている。この特許文献１では、押圧操作量を検出する押圧操作量検出手段を備えて、押圧操作量検出手段からの検出信号に基づいてスクロール速度を制御するものである。
【０００４】
また特許文献２には、所定の領域に触れることでポインタ移動速度を切り替えることのできるポインタ移動速度切替方法が開示されている。
【先行技術文献】
【特許文献】
【０００５】
【特許文献１】特開２００２−２１３９８９号公報
【特許文献２】特開２００２−２４４８０９号公報
【発明の概要】
【発明が解決しようとする課題】
【０００６】
しかしながら、前記従来の構成では、指の移動量に対するポインタの移動量を変更できるものの、特許文献１の技術では、ユーザは指の移動量に対するポインタの移動量を変更するために、押圧力を変える必要があるという問題がある。一方、特許文献２の技術では、所定の領域を通らないと移動速度を変えることができないため、任意の場所で移動速度を変えることができないという問題がある。
【０００７】
本発明は、前記従来の課題に鑑みてなされたものであり、その目的は、ユーザが操作状況に応じて、任意の場所で指の接触面の傾きを変えることで、指移動量に対するポインタ移動量を変化させることができる座標入力装置および座標入力方法を提供することにある。
【課題を解決するための手段】
【０００８】
前記従来の課題を解決するために、本発明の座標入力装置は、指の接触領域を検出する座標入力部と、前記接触領域に基づいて指が傾いているか否かを判定する判定部と、前記接触領域に基づいて位置座標を決定する位置決定部と、前記判定部の判定結果に基づいて速度係数を算出する速度制御部と、前記位置座標と前記速度係数に基づいてポインタの座標を演算する演算部とを備えた構成を有している。
【発明の効果】
【０００９】
前記構成により、ユーザが操作状況に応じて指の傾きを変えることで、指移動量に対するポインタ移動量を変化させることが可能となり、操作性、利便性を向上させることができる。
【図面の簡単な説明】
【００１０】
【図１】本発明の座標入力装置の構成図
【図２】本発明の第一の実施の形態における座標入力装置の動作を説明するフローチャート
【図３】本発明の第一の実施の形態における指の動作例を示す図
【図４】本発明の第二の実施の形態における座標入力装置の動作を説明するフローチャート
【図５】本発明の第二の実施の形態における指の動作例を示す図
【図６】本発明の第三の実施の形態における座標入力装置の動作を説明するフローチャート
【図７】本発明の第三の実施の形態における指の動作例を示す図
【図８】静電式ポインティングデバイスにおける指の傾き検出の例を示す図
【図９】光学式ポインティングデバイスにおける指の傾き検出の例を示す図
【図１０】感圧式ポインティングデバイスにおける指の傾き検出の例を示す図
【発明を実施するための形態】
【００１１】
（実施の形態１）本発明の第一の実施の形態について図面を用いて詳細に説明する。図１は、本実施の形態における座標入力装置の構成図、図２は、座標入力装置の動作を説明するフローチャート、図３は、本実施の形態における指の動作例を示す図である。
【００１２】
図１に示すように、座標入力装置は、座標入力部１と、判定部２と、位置決定部３と、速度制御部４と、演算部５と、表示部６とから構成される。座標入力部１は、指の接触領域を検出する。判定部２は、接触領域、押圧力、静電容量の変化、指紋の変化、コントラストの変化などに基づいて、指が傾いているか否かを判定する。位置決定部３は、検出された接触領域に基づいて位置座標を決定する。速度制御部４は、判定部２の判定結果に基づいて速度係数を算出する。演算部５は、位置座標、速度係数に基づいて表示部６におけるポインタの座標を演算する。表示部６は、画面表示装置であり、液晶ディスプレイや、タッチパネルの表示装置、有機ＥＬディスプレイなどで構成される。利用者はこの画像表示装置を視認することによって、ポインタを操作することができる。
【００１３】
次に、本実施の形態の動作を、図２のフローチャートを用いて説明する。傾き変化ありステップ（Ｓ１０１）では、判定部２において指の傾きを判定する。指の傾きが検出されない場合にはフローチャートの終了へ進み、指の傾きが検出される場合には、指移動量に対するポインタ移動量を変更ステップ（Ｓ１０２）に進む。ステップＳ１０２では、判定部２において指の傾きが検出されることにより、速度制御部４で速度の係数を算出し、指移動量に対するポインタ移動量を変更する。以上の動作により、指の傾きに応じて、指移動量に対するポインタ移動量を変化させることが可能となる。
【００１４】
次に、判定部２でどのように指の傾きを検出するかを示す具体例を、図８から図１０に示す。図８は、静電式ポインティングデバイスにおける指の傾き検出の例を示す図である。静電式ポインティングデバイスでは、接触領域、および静電容量の大きさを検出することができる。そのため、接触領域の位置、形が所定の変化をした場合、また、静電容量の傾きが所定の変化をした場合に、指が傾いていると判断することができる。
【００１５】
図９は、光学式ポインティングデバイスにおける指の傾き検出の例を示す図である。光学式ポインティングデバイスでは、指紋、およびコントラストを検出することができる。そのため、指紋やコントラストが所定の変化をした場合に、指が傾いていると判断することができる。
【００１６】
図１０は、感圧式ポインティングデバイスにおける指の傾き検出の例を示す図である。感圧式ポインティングデバイスでは、圧力を検出することができる。そのため、圧力が所定の変化をした場合に、指が傾いていると判断することができる。
【００１７】
（実施の形態２）本発明の第二の実施の形態について図面を用いて詳細に説明する。図１は本実施の形態における座標入力装置の構成図、図４は、本実施の形態における座標入力装置の動作を説明するフローチャート、図５は、本実施の形態における指の動作例を示す図である。本実施の形態における座標入力装置の構成は、前記第一の実施の形態と同様である。
【００１８】
本実施の形態の動作を、図４のフローチャートを用いて説明する。押圧力＞閾値のステップ（Ｓ２０１）は、判定部２において指の押圧力が閾値を超えているかどうかを判定する。指の押圧力が閾値を超えない場合にはフローチャート終了へ進み、指の押圧力が閾値を超える場合には、傾き変化ありステップ（Ｓ２０２）に進む。ステップＳ２０２では、判定部２において指の傾きを判定する。指の傾きが検出されない場合にはフローチャート終了へ進み、指の傾きが検出される場合には、指移動量に対するポインタ移動量を変更ステップ（Ｓ２０３）に進む。ステップＳ２０３では、判定部２において指の傾きが検出されることにより、速度制御部４で速度の係数を算出し、指移動量に対するポインタ移動量を変更する。
【００１９】
本実施の形態によれば、前記第一の実施の形態の効果に加えて、ユーザの押圧力が強い場合にのみ、指移動量に対するポインタ移動量を変化させることが可能となる。
【００２０】
（実施の形態３）本発明の第三の実施の形態について図面を用いて詳細に説明する。図１は本実施の形態における座標入力装置の構成図、図６は、本実施の形態における座標入力装置の動作を説明するフローチャート、図７は、本実施の形態における指の動作例を示す図である。本実施の形態における座標入力装置の構成は、前記第一の実施の形態と同様である。
【００２１】
本実施の形態の動作を、図６のフローチャートを用いて説明する。押圧力＞閾値のステップ（Ｓ３０１）は、判定部２において指の押圧力が閾値を超えているかどうかを判定する。指の押圧力が閾値を超えない場合にはフローチャート終了へ進み、指の押圧力が閾値を超える場合には、現在位置を基準点に設定ステップ（Ｓ３０２）に進む。ステップＳ３０２では、判定部２において指の押圧力が閾値を超えた位置を基準点として設定する。
【００２２】
次に、基準点からの移動量＜閾値ステップ（Ｓ３０３）では、判定部２が、ステップＳ３０２において設定した基準点からの移動量が閾値以内であるかどうかを判定する。基準点からの移動量が閾値を超えている場合にはフローチャート終了へ、基準点からの移動量が閾値を超えていない場合には、指が停止状態であると判定し、傾き変化ありステップ（Ｓ３０４）に進む。ステップ３０４では、判定部２において指の傾きを判定する。指の傾きが検出されない場合にはフローチャート終了へ進み、指の傾きが検出される場合には、指移動量に対するポインタ移動量を変更ステップ（Ｓ３０５）に進む。ステップＳ３０５では、判定部２において指の傾きが検出されることにより、速度制御部４で速度の係数を算出し、指移動量に対するポインタ移動量を変更する。
【００２３】
本実施の形態によれば、前記第一の実施の形態の効果に加えて、指が停止状態の場合においてのみ、指移動量に対するポインタ移動量を変更するため、指が停止状態から移動状態に変化した場合に、指移動量に対するポインタ移動量を前の状態に戻すことができる。
【産業上の利用可能性】
【００２４】
本発明にかかる座標入力装置および座標入力方法は、指の接触面の傾きを変えることで、ポインタの移動量の調整を行うことが可能となるため、ポインティング操作に関する座標入力装置等として有用である。
【符号の説明】
【００２５】
１    座標入力部
２    判定部
３    位置決定部
４    速度制御部
５    演算部
６    表示部
【図１】
2011186880.tif 000003
【図２】
2011186880.tif 000004
【図３】
2011186880.tif 000005
【図４】
2011186880.tif 000006
【図５】
2011186880.tif 000007
【図６】
2011186880.tif 000008
【図７】
2011186880.tif 000009
【図８】
2011186880.tif 000010
【図９】
2011186880.tif 000011
【図１０】
2011186880.tif 000012